(57)【要約】【課題】方角調整機能の調整範囲が広くかつ簡易的な構造の方角調整技術を実現する技術を提供する。【解決手段】回転軸接続部３２は、上下回転軸と同一軸となる円周面を有している。さらに、この円周面には、所定のピッチで凹凸部３４が形成されている。ここでは、１５度ピッチで形成されている。また、支柱部５０の内部には、調整金具５５が設けられている。調整金具５５には金具水平面５７が形成されており、この金具水平面５７が回転軸接続部３２の円周面、より具体的には凹凸部３４と常に当接している。当接状態で、金具水平面５７は、回転軸接続部３２により垂直に押圧され若干撓んだ状態となっている。【選択図】図４
2013153385.tif 000002
【特許請求の範囲】
【請求項１】
支柱と、前記支柱の一端と回動可能に固定されたアームとを有する方角調整機構であって、
前記アームは、前記支柱と回動可能に固定される側の端部において、回動軸と同一軸を有す円周面を前記回動の量に対応して所定範囲に亘って有し、
前記支柱は、前記円周面と当接するとともに、当接状態で前記円周面による押圧にてたわみ状態となるプレート備える
ことを特徴とする方角調整機構。
【請求項２】
前記円周面は、所定のピッチの凹凸形状を有することを特徴とする請求項１に記載の方角調整機構。
【請求項３】
請求項１または２に記載の方角調整機構と、前記方角調整機構に取り付けられ同期信号を送信する同期信号送信ユニットと
を備えることを特徴とする同期信号送信装置。
【請求項４】
前記同期信号送信ユニットは、
同期信号を発光するＬＥＤ素子をそれぞれ複数配置した第１のＬＥＤユニット及び第２のＬＥＤユニットを有し、
前記第１のＬＥＤユニット及び前記第２のＬＥＤユニットは、所定角度だけ外側方向に開いて並んで配置されている
ことを特徴とする請求項３に記載の同期信号送信装置。
【請求項５】
３Ｄ映像表示機能を有するプロジェクターに接続され、前記プロジェクターから３Ｄ映像と同期する３Ｄ映像用グラスに同期信号を送信する同期信号送信装置であって、
前記同期信号を発光するＬＥＤ素子をそれぞれ複数配置した第１のＬＥＤユニット及び第２のＬＥＤユニットを、所定角度だけ外側方向に開いた状態で並んで配置した
ことを特徴とする同期信号送信装置。
【請求項６】
前記所定角度は、ＬＥＤ素子の送信可能範囲の外縁が送信中心方向に対して１６．５度の範囲と略一致するように設定されていることを特徴とする請求項５に記載の同期信号送信装置。
【請求項７】
請求項３〜６までのいずれかに記載の同期信号送信装置を備えることを特徴とするプロジェクター。
【発明の詳細な説明】
【技術分野】
【０００１】
本発明は、方角調整機構、同期信号送信装置及びプロジェクターに係り、例えば信号送信の方角を可変とするための方角調整機構、その様な方角調整機構を備えてプロジェクターにおける３Ｄ映像視聴用のメガネの同期を取るための信号を送信する同期信号送信装置及びその様な同期信号送信装置を備えたプロジェクターに関する。
【背景技術】
【０００２】
一般的に、３Ｄ映像表示機能を搭載したプロジェクターなどの電子機器においては、３Ｄ視聴用のメガネと同期を取る為の信号をプロジェクター側より発信する必要がある。一方でプロジェクターにおいては、投影するスクリーンと視聴者さらにスクリーンと送信装置本体間の比較的長い区間で同期信号を視聴者側に発信する必要がある。このため、液晶テレビのように信号発信用のＬＥＤ装置（同期信号送信ユニット）は内蔵せず、外付けのオプションユニットで対応している。
【０００３】
同期信号の送受信に適用可能な技術として、各種機器のリモコン装置に関する技術がある。例えば、エアコン用の赤外線送信ユニットに関して、エアコン側での受信範囲を拡大するための技術がある（例えば、特許文献１参照）。具体的には、赤外線送信部は、一列に配置された複数個のＬＥＤで構成されると共に、複数個のＬＥＤを所定角度刻みで係止可能に回転させる弾性係止機能を有している。
【先行技術文献】
【特許文献】
【０００４】
【特許文献１】特開２００８−８２５８７号公報
【発明の概要】
【発明が解決しようとする課題】
【０００５】
ところで、一般に、信号発信用のＬＥＤ素子の送信信号角度は狭く、例えば、２０度程度（上下左右の各方向に１０度程度）と狭い。したがって、視聴者が装着する３Ｄ視聴用のメガネが同期信号を得る為には、同期信号送信ユニットを視聴者側に適切に配置する必要がある。しかし、現在実用化され市場に投入されている送信ユニットでは、調整角度や発信角度が狭く設置場所が制限されたり、視聴者が複数名いる場合に適切に同期信号を得られない可能性があるという課題があった。また、様々な方向を向けた多数のＬＥＤ素子を配置することで対応することも可能であるが、コストや大きさ、消費電力等の観点から現実的でなく別の技術が求められていた。
【０００６】
特許文献１に開示の技術では、エアコンのように送信対象が固定されている機器が対象であり、プロジェクターのように、使用の都度、設置場所が変更されたり、天井や壁に取り付けられるといった特徴があるため、そのまま適用できず別の技術が求められていた。
【０００７】
また、図７に、従来より用いられている回転機構の一例を示す。図示のように、支柱部１５０内部の調整金具１５０と、調整腕１３０の回転軸接続部１３２にそれぞれ凹凸形状１３４、１５７を設けて多段階調整可能とした技術がある。しかし、この技術では、凹凸のピッチに対応した角度、例えば１５度ピッチでしか調整できないという課題があった。凹凸のピッチを狭めることで調整幅を細かくすることが可能であるが限度があり、凹凸形状が多く必要となり現実的でない。つまり、モータ等による方角調整制御を行わないような簡易的な機構にあっては、加工精度やコスト、操作性の観点から調整角度の単位を細かくすることが現実的でなく、この観点においても別の技術が求められていた。
【０００８】
本発明は以上のような状況に鑑みなされたものであって、上記課題を解決する技術を提供することを目的とする。
【課題を解決するための手段】
【０００９】
本発明は、支柱と、前記支柱の一端と回動可能に固定されたアームとを有する方角調整機構であって、前記アームは、前記支柱と回動可能に固定される側の端部において、回動軸と同一軸を有す円周面を前記回動の量に対応して所定範囲に亘って有し、前記支柱は、前記円周面と当接するとともに、当接状態で前記外周面による押圧にてたわみ状態となるプレートを備える。
また、前記円周面は、所定のピッチの凹凸形状を有してもよい。
本発明は同期信号送信装置であって、上記の方角調整機構と、前記方角調整機構に取り付けられ同期信号を送信する同期信号送信ユニットとを備える。
また、前記同期信号送信ユニットは、同期信号を発光するＬＥＤ素子をそれぞれ複数配置した第１のＬＥＤユニット及び第２のＬＥＤユニットを有し、前記第１のＬＥＤユニット及び前記第２のＬＥＤユニットは、所定角度だけ外側方向に開いて並んで配置されてもよい。
本発明は、３Ｄ映像表示機能を有するプロジェクターに接続され、前記プロジェクターから３Ｄ映像と同期する３Ｄ映像用グラスに同期信号を送信する同期信号送信装置であって、前記同期信号を発光するＬＥＤ素子をそれぞれ複数配置した第１のＬＥＤユニット及び第２のＬＥＤユニットを、所定角度だけ外側方向に開いた状態で並んで配置している。
また、前記所定角度は、ＬＥＤ素子の送信可能範囲の外縁が送信中心方向に対して１６．５度の範囲と略一致するように設定されてもよい。
本発明は、プロジェクターであって、上記の同期信号送信装置を備える。
【発明の効果】
【００１０】
本発明によれば、方角調整機能の調整範囲が広くかつ簡易的な構造の方角調整技術を実現できる。
【図面の簡単な説明】
【００１１】
【図１】実施形態に係る、同期信号発信装置の斜視図である。
【図２】実施形態に係る、内部構造を一部透視した同期信号発信装置を示す三面図である。
【図３】実施形態に係る、内部構造を一部透視した同期信号発信装置を側面図である。
【図４】実施形態に係る、同期信号発信装置の回転機構を示す断面図である。
【図５】実施形態に係る、ＬＥＤモジュールの方角設定を説明するための図である。
【図６】実施形態に係る、同期信号発信装置の機能ブロック図である。
【図７】従来技術に係る、回転機構を示す断面図である。
【発明を実施するための形態】
【００１２】
次に、本発明を実施するための形態（以下、単に「実施形態」という）を、図面を参照して具体的に説明する。
【００１３】
図１（ａ）は本実施形態に係る同期信号発信装置１０の斜視図を示しており、図１（ｂ）は同期信号発信装置１０の内部構造を認識可能にするために一部構成を透視して示している。さらに、図２は、内部構成を透視して示した同期信号発信装置１０の三面図であって、図２（ａ）は平面図、図２（ｂ）は正面図、図２（ｃ）は側面図である。この同期信号発信装置１０は、３Ｄ映像表示機能を備えたプロジェクターに接続され、視聴者が装着する３Ｄメガネに３Ｄ映像視聴時の同期信号を送信するものである。
【００１４】
図示のように、同期信号発信装置１０は、台座１４と、支柱部５０と、調整腕３０と、送信ユニット本体４０とを備える。
【００１５】
台座１４は、円盤状に形成されており、設置面に配置される。また、台座１４にはネジ止め用の穴が形成されており、壁や天井等にネジ固定可能に形成されている。
【００１６】
台座１４の後側の外縁近傍には、支柱部５０が所定高さで形成されている。支柱部５０の上端側には、調整腕３０が上下方向に回動可能に接続されている。より具体的には、調整腕３０は、前後方向に延びるアーム状の柱状体であって、後方側の端部には支柱部５０と接続する回転軸接続部３２が設けられ、また、前方側の端部には送信ユニット本体４０を接続するユニット固定部３８が形成されている。
【００１７】
回転軸接続部３２には、左右方向にそれぞれ突状（円筒状）に形成された上下回転軸８０が形成されており、支柱部５０の内部に形成された一般的な嵌合構造（図示せず）に装着される。この上下回転軸８０を中心として、調整腕３０は上下方向に回動可能となっており、ここでは、図３に示すように、水平状態から垂直状態まで９０度回動可能である。このとき、送信ユニット本体４０を回転させた場合は、接続用のコネクタケーブル９０が本体下部からも取り出し可能となっている。また、支柱部５０等の形状を調整することで回動範囲についてはある程度設定可能である。なお、回転軸接続部３２による支柱部５０への回動可能とした固定構造（方角調整機構）の詳細については後述する。
【００１８】
ユニット固定部３８の上面側に送信ユニット本体４０がネジ固定される。具体的には、ユニット固定部３８には上下方向に貫通する固定用孔が形成されている。このネジ穴を介して、送信ユニット本体４０の底面に形成されたネジ穴に調整ネジ１６によって送信ユニット本体４０が固定される。送信ユニット本体４０は、底面の中心部分で固定されており、調整ネジ１６を一旦緩めることで、左右方向の向きを３６０度に亘って所望の向きに設定可能となっている。
【００１９】
送信ユニット本体４０の筐体１１の内部には、複数のＬＥＤ素子を備えるＬＥＤモジュール２０と、ＬＥＤモジュール２０を駆動制御するＬＥＤ駆動制御装置７０（図６参照）を備える端子基板６０とを備える。端子基板６０にはコネクタケーブル９０が接続され、このコネクタケーブル９０によって端子基板６０（ＬＥＤ駆動制御装置７０）は、同期信号を出力するための制御信号等をプロジェクターから取得する。
【００２０】
ＬＥＤモジュール２０は、送信ユニット本体４０に対して垂直方向にかつ左右への信号の広がりを考慮して、広角に配置されている。ここでは、ＬＥＤモジュール２０は、第１のＬＥＤモジュール２０ａと第２のＬＥＤモジュール２０ｂの二つのモジュールで構成されている。第１のＬＥＤモジュール２０ａと第２のＬＥＤモジュール２０ｂのそれぞれは、上下２段に合計８つのＬＥＤ素子を配置している。送信ユニット本体４０の厚みの増加を抑えられるように、ＬＥＤ素子は、互い違いに配置されている。またこのＬＥＤ素子は視聴者の使用状況によって使用数量（駆動数量）を制限する機能を備えている。例えば、視聴者と同期信号発信装置１０（送信ユニット本体４０）の距離が近い場合や、視聴者が少ない場合等は、不要なＬＥＤ素子の発光を制限する機能を備えており、これにより消費電力の削減が可能となる。
【００２１】
また、第１のＬＥＤモジュール２０ａと第２のＬＥＤモジュール２０ｂは、前方向に対してそれぞれ外方向に６．５度開いた方角を向いて配置されている。つまり、第１のＬＥＤモジュール２０ａは、正面視で左方向に６．５度ずれた方向が正面となり同期信号を送信する。同様に、第２のＬＥＤモジュール２０ｂは、正面視で右方向に６．５度ずれた方向が正面となり同期信号を送信する。なお、ＬＥＤモジュール２０の前方側は、ＬＥＤ素子で発光した光（信号）が実質的に減衰せずに透過可能に構成されている。
【００２２】
ここで、第１のＬＥＤモジュール２０ａと第２のＬＥＤモジュール２０ｂの設置向きについて図５を参照して説明する。
【００２３】
一般に、スクリーンサイズと視聴者の視聴位置の関係は、スクリーンサイズ（高さＨ）の３倍程度が最適とされている。今、２００インチのサイズで視聴者が視聴する場合を例示する。スクリーンサイズが２００インチの場合、高さＨ＝２４９ｃｍ、幅Ｗ＝４４２．８ｃｍとなる。そして、スクリーンセンターにＩＲエミッターである同期信号発信装置１０を配置し、上記のサイズで視聴者が視聴すると仮定した場合、場合のスクリーンセンターとスクリーン端の角度αは、１６．５度になる。
【００２４】
ＬＥＤモジュール２０に搭載されるＬＥＤ素子の発信角度γ（送信範囲）が２０度とした場合、左又は右側の一方に対して１０度の範囲となることから、スクリーン端の角度α＝１６．５度をカバーするには、ＬＥＤモジュール２０の設置方向を６．５度（＝β）だけ傾ければよい。
【００２５】
図４は、回転軸接続部３２による支柱部５０への回動可能とした回転機構（方角調整機構）部分を拡大して示す断面図である。回転軸接続部３２は、上下回転軸８０と同一軸となる円周面を有している。さらに、この円周面には、所定のピッチで凹凸部３４が形成されている。ここでは、１５度ピッチで形成されている。
【００２６】
また、支柱部５０の内部には、調整金具５５が設けられている。調整金具５５には金具水平面５７が形成されており、この金具水平面５７が回転軸接続部３２の円周面、より具体的には凹凸部３４と常に当接している。つまり、この円周面（凹凸部３４）は、回動量に対応して形成されおり、調整腕３０が回動してどのような向きになっても、金具水平面５７が回転軸接続部３２の円周面と常に当接し、相互に干渉している。また、当接状態で、金具水平面５７は、回転軸接続部３２により垂直に押圧され若干撓んだ状態となっている。
【００２７】
なお、本実施形態において、調整腕３０の材質は、プラスチック（ポリカーボネイト／ＡＢＳ樹脂等）であって、厚み２．０ｍｍ、円周面の直径Ａ１＝１５ｍｍである。また、調整金具５５の材質はステンレスであり、厚み０．５ｍｍ、図示の幅Ｂ１＝１５ｍｍである。
【００２８】
このように、設計上で意図的に調整腕３０と調整金具５５とを干渉させ、調整金具５５側を撓ませることで無段階時の調整のトルクを確保することができる。更に調整金具５５の金具水平面５７の厚みでクリック感の調整が可能となる。具体的には、厚みが０．２ｍｍ程度でクリック感のない無段階調整となり、厚みが０．８ｍｍ程度で多段階に近いクリック感を持たせることが可能となる。そして、回転軸接続部３２の厚みや円周面の直径および調整金具５５（金具水平面５７）の材質、厚み、寸法を変えることによって適宜様々なスケールの調整機構に対応可能となる。
【００２９】
この回転機構を用いることで、更に視聴者の状況によって設置状況が変更しやすいように仰角調整部分を無段階から多段階設置可能とし且つ信号発信用のＬＥＤ素子の使用数量も使用状況によって変更可能とした。
【００３０】
ここで、図６に同期信号発信装置１０に関して、同期信号出力に関する機能ブロック図を示す。図示のように、同期信号発信装置１０は、第１のＬＥＤモジュール２０ａ及び第２のＬＥＤモジュール２０ｂと、それらの駆動制御を行うＬＥＤ駆動制御装置７０とを備える。ＬＥＤ駆動制御装置７０は、上述の端子基板６０に搭載されており、プロジェクターに接続されたコネクタケーブル９０が所定の端子に接続される。
【００３１】
ＬＥＤ駆動制御装置７０は、プロジェクターから取得した制御信号に基づいて、第１及び第２のＬＥＤモジュール２０ａ、２０ｂを駆動させ、同期信号を出力させる。なお、第１及び第２のＬＥＤモジュール２０ａ、２０ｂのいずれか一方のみが駆動するように制御されてもよいし、それぞれが搭載するＬＥＤ素子の個々が駆動制御されてもよい。例えば、視聴者が同期信号発信装置１０が近くに位置する場合、それほど強い信号は必要ないので、操作パネルやリモコン等へのユーザ操作又は所定のセンサー（図示せず）による検知結果に基づいて、発光するＬＥＤ素子が制限される。
【００３２】
以上、本実施形態によると、ＬＥＤモジュール２０に搭載されるＬＥＤ素子の数も基板の配置方法を工夫することにで、より広範囲に受信範囲を設けられる為、設置範囲の自由度が大幅に広がっている。
【００３３】
さらにＬＥＤモジュール２０のＬＥＤ素子の使用数も視聴者の用途に応じて増減可能としているため、消費電力削減による省エネ効果を得ることができる。
【００３４】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。例えば、回転軸接続部３２の円周面に凹凸部３４を設けない構造としてもよい。この場合は、クリック感は出ないが、無段階の方角調整は可能である。
【符号の説明】
【００３５】
１０  同期信号発信装置
１１  筐体
１４  台座
１６  調整ネジ
２０  ＬＥＤモジュール
２０ａ  第１のＬＥＤモジュール
２０ｂ  第２のＬＥＤモジュール
３０  調整腕（アーム）
３２  回転軸接続部
３４  凹凸部
３８  ユニット固定部
４０  送信ユニット本体
５０  支柱部
５５  調整金具
５７  金具水平面（プレート）
６０  端子基板
７０  ＬＥＤ駆動制御装置
８０  上下回転軸
９０  コネクタケーブル
【図１】
2013153385.tif 000003
【図２】
2013153385.tif 000004
【図３】
2013153385.tif 000005
【図４】
2013153385.tif 000006
【図５】
2013153385.tif 000007
【図６】
2013153385.tif 000008
【図７】
2013153385.tif 000009